(57)【特許請求の範囲】
【請求項１】
ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じて電子メールサービスを提供する複数の電子メールサーバーと通信可能な情報処理装置であって、
第２認証情報と複数の前記第１認証情報と複数の前記第１認証情報に対応する複数の前記電子メールサーバーの前記ネットワーク上の宛先情報および標章情報とを対応づけて記憶可能な対応認証情報記憶部と、
第２認証用入力情報を入力する第２認証用情報入力部と、
前記第２認証用入力情報と前記対応認証情報記憶部の前記第２認証情報とを照合して認証成否を判定する第２認証処理を実行する第２認証処理部と、
前記第２認証処理が成功した場合に、成功した前記第２認証処理で用いられた前記第２認証情報に対応する前記対応認証情報記憶部の複数の前記第１認証情報をこれに対応する複数の前記宛先情報の宛先へ送信することにより、複数の前記電子メールサーバーに前記第１認証処理を要求する第１認証要求部と、
前記第１認証要求部が要求した前記第１認証処理が複数の前記電子メールサーバーについて成功した場合に、成功した前記第１認証処理の要求先である複数の前記電子メールサーバーから受信電子メールデータの情報を取得する受信電子メール情報取得部と、
複数の前記電子メールサーバーから得られる複数の前記受信電子メールデータの情報およびこれに対応する前記電子メールサーバーの前記標章情報を表示部に表示させるとともに、操作部に対する操作に従って受信の対象とする前記受信電子メールデータを選択する受信データ選択部と、
前記受信データ選択部により選択された前記受信電子メールデータを対応する前記電子メールサーバーから前記電子メールサービスを通じて受信する電子メールサービス利用部と、を備える情報処理装置。
【請求項２】
前記電子メールサービスを通じて受信した前記電子メールデータに基づく画像を形成する画像形成部をさらに備える、請求項１に記載の情報処理装置。
【請求項３】
前記操作部に対する操作に従って、前記電子メールサービスを通じて受信した前記電子メールデータにおける本文部および添付ファイルの一方または両方を、前記画像形成部による画像形成の対象として選択する画像形成対象選択部をさらに備える、請求項２に記載の情報処理装置。
【請求項４】
ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じて電子メールサービスを提供する複数の電子メールサーバーと通信可能な画像処理装置であって、
第２認証情報と複数の前記第１認証情報と複数の前記第１認証情報に対応する複数の前記電子メールサーバーの前記ネットワーク上の宛先情報および標章情報とを対応づけて記憶可能な対応認証情報記憶部と、
第２認証用入力情報を入力する第２認証用情報入力部と、
前記第２認証用入力情報と前記対応認証情報記憶部の前記第２認証情報とを照合して認証成否を判定する第２認証処理を実行する第２認証処理部と、
前記第２認証処理が成功した場合に、成功した前記第２認証処理で用いられた前記第２認証情報に対応する前記対応認証情報記憶部の複数の前記第１認証情報をこれに対応する複数の前記宛先情報の宛先へ送信することにより、複数の前記電子メールサーバーに前記第１認証処理を要求する第１認証要求部と、
前記第１認証要求部が要求した前記第１認証処理が複数の前記電子メールサーバーについて成功した場合に、成功した前記第１認証処理の要求先である複数の前記電子メールサーバーから、前記電子メールサーバーに到達している受信電子メールデータの情報を、前記電子メールサービスを通じて取得する受信電子メール情報取得部と、
複数の前記電子メールサーバーから得られる複数の前記受信電子メールデータの情報およびこれに対応する前記電子メールサーバーの前記標章情報を表示部に表示させるとともに、操作部に対する操作に従って受信の対象とする前記受信電子メールデータを選択する受信データ選択部と、
前記受信データ選択部により選択された前記受信電子メールデータを対応する前記電子メールサーバーから前記電子メールサービスを通じて受信する電子メールサービス利用部と、
前記電子メールサービスを通じて受信した前記電子メールデータに基づく画像を形成する画像形成部と、を備える画像処理装置。
【請求項５】
ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じて電子メールサービスを提供する複数の電子メールサーバーと通信可能な情報処理装置が実行する電子メールサービス利用方法であって、
第２認証用入力情報を入力する第２認証用情報入力工程と、
第２認証情報と複数の前記第１認証情報と複数の前記第１認証情報に対応する複数の前記電子メールサーバーの前記ネットワーク上の宛先情報および標章情報とを対応づけて記憶可能な対応認証情報記憶部の情報を参照する記憶部参照工程と、
前記第２認証用入力情報と前記対応認証情報記憶部の前記第２認証情報とを照合して認証成否を判定する第２認証処理を実行する第２認証処理工程と、
前記第２認証処理が成功した場合に、前記対応認証情報記憶部の情報を参照し、成功した前記第２認証処理で用いられた前記第２認証情報に対応する前記対応認証情報記憶部の複数の前記第１認証情報をこれに対応する複数の前記宛先情報の宛先へ送信することにより、複数の前記電子メールサーバーに前記第１認証処理を要求する第１認証要求工程と、
前記第１認証処理が複数の前記電子メールサーバーについて成功した場合に、成功した前記第１認証処理の要求先である複数の前記電子メールサーバーから前記電子メールサーバーに到達している受信電子メールデータの情報を取得する工程と、
複数の前記電子メールサーバーから得られる複数の前記受信電子メールデータの情報およびこれに対応する前記電子メールサーバーの前記標章情報を表示部に表示させるとともに、操作部に対する操作に従って受信の対象とする前記受信電子メールデータを選択する工程と、
選択された前記受信電子メールデータを対応する前記電子メールサーバーから前記電子メールサービスを通じて受信する工程と、を含む、電子メールサービス利用方法。
【発明の詳細な説明】
【技術分野】
【０００１】
本発明は、電子メールサーバーと通信可能な情報処理装置、画像処理装置、電子メールサービス利用方法および電子メールサービス利用プログラムに関する。
【背景技術】
【０００２】
一般に、電子メールサーバー（電子メールサービス提供装置）が、インターネットなどのネットワークを通じて情報処理装置（端末装置）に対して電子メールサービスを提供することが知られている。前記電子メールサービスは、電子メール受信サービスと電子メール送信サービスとを含む。
【０００３】
また、前記電子メールサーバーは、前記ネットワークを通じて受信した認証用入力情報と予め記憶部に記憶された認証情報とを照合して認証成否を判定する認証処理を実行する。前記認証用入力情報は、いわゆるユーザーアカウント情報を含む。前記電子メールサーバーは、前記認証処理が成功した場合にのみ、前記認証用入力情報の送信元に対して前記電子メールサービスを提供する。
【０００４】
また、プリンターが、電子メールを受信し、受信した電子メールの添付ファイルに対応する画像を形成することが知られている（例えば、特許文献１参照）。
【先行技術文献】
【特許文献】
【０００５】
【特許文献１】特開２００２−１３７５０５号公報
【発明の概要】
【発明が解決しようとする課題】
【０００６】
ところで、前記情報処理装置が、それ自体の使用を可能にするための前記認証処理を実行する機能を有する場合がある。例えば、前記情報処理装置が、画像形成装置または画像読取装置などの画像処理装置である場合、その画像処理装置が、画像処理を可能にするための前記認証処理を実行する機能を有する場合がある。
【０００７】
前記情報処理装置において、前記情報処理装置の前記認証処理用の情報と前記電子メールサーバーの前記認証処理用の情報とを個別に入力する作業は繁雑である。
【０００８】
また、前記情報処理装置において、１人のユーザーが前記電子メールサービスにおける複数の前記ユーザーアカウントを利用した電子メールの受信または送信を実行したいというニーズがある。この場合、前記情報処理装置の前記認証処理用の情報と、前記電子メールサーバーの複数の前記認証処理用の情報各々とを個別に入力する作業はさらに繁雑である。
【０００９】
本発明の目的は、電子メールサーバーと通信可能な装置を通じて電子メールサービスを利用する場合に、認証処理用の情報の入力作業を簡易化できる情報処理装置、画像処理装置、電子メールサービス利用方法および電子メールサービス利用プログラムを提供することにある。
【課題を解決するための手段】
【００１０】
本発明の一の局面に係る情報処理装置は、電子メールサーバーと通信可能であり、対応認証情報記憶部と、第２認証用情報入力部と、第２認証処理部と、第１認証要求部と、電子メールサービス利用部とを備える。前記電子メールサーバー各々は、ネットワークを通じて受信した第１認証用入力情報と予め記憶部に記憶された第１認証情報とを照合して認証成否を判定する第１認証処理を実行する。さらに、前記電子メールサーバー各々は、前記第１認証処理が成功した場合に、前記第１認証用入力情報の送信元に対して前記ネットワークを通じて電子メールサービスを提供する。前記対応認証情報記憶部は、第２認証情報と複数の前記第１認証情報と前記第１認証情報に対応する前記電子メールサーバーの前記ネットワーク上の宛先情報とを対応づけて記憶可能な記憶部である。前記第２認証用情報入力部は、第２認証用入力情報を入力する。前記第２認証処理部は、前記第２認証用入力情報と前記対応認証情報記憶部の前記第２認証情報とを照合して認証成否を判定する第２認証処理を実行する。前記第１認証要求部は、前記第２認証処理が成功した場合に、成功した前記第２認証処理で用いられた前記第２認証情報に対応する前記対応認証情報記憶部の前記第１認証情報をこれに対応する前記宛先情報の宛先へ送信することにより、前記電子メールサーバーに前記第１認証処理を要求する。前記電子メールサービス利用部は、前記第１認証要求部が要求した前記第１認証処理が成功した場合に電子メールサービス利用処理を実行する。前記電子メールサービス利用処理は、成功した前記第１認証処理の要求先である前記電子メールサーバーの前記電子メールサービスを通じて電子メールデータを受信または送信する処理を含む。
【００１１】
本発明の他の局面に係る画像処理装置は、前記電子メールサーバーと通信可能であり、前記対応認証情報記憶部と、前記第２認証用情報入力部と、前記第２認証処理部と、前記第１認証要求部と、前記電子メールサービス利用部と、画像形成部および画像読取部のうち少なくとも一方とを備える。前記画像形成部は、前記電子メールサービスを通じて受信した前記電子メールデータに基づく画像を形成する。前記画像読取部は、原稿の画像を読み取ることにより前記電子メールサービスを通じて送信される前記電子メールデータの添付ファイルの元になる画像データを生成する。
【００１２】
本発明の他の局面に係る電子メールサービス利用方法は、ネットワークを通じて受信した第１認証用入力情報と予め記憶部に記憶された第１認証情報とを照合して認証成否を判定する第１認証処理を実行し、前記第１認証処理が成功した場合に、前記第１認証用入力情報の送信元に対して前記ネットワークを通じて電子メールサービスを提供する電子メールサーバーと通信可能な情報処理装置が実行する方法である。本方法は、第２認証用情報入力工程と、第２認証処理工程と、記憶部参照工程と、第１認証要求工程と、電子メールサービス利用工程とを含む。前記第２認証用情報入力工程は、第２認証用入力情報を入力する工程である。前記記憶部参照工程は、第２認証情報と複数の前記第１認証情報と前記第１認証情報に対応する前記電子メールサーバーの前記ネットワーク上の宛先情報とを対応づけて記憶可能な対応認証情報記憶部の情報を参照する工程である。前記第２認証処理工程は、前記第２認証用入力情報と前記対応認証情報記憶部の前記第２認証情報とを照合して認証成否を判定する第２認証処理を実行する工程である。前記第１認証要求工程は、前記第２認証処理が成功した場合に、成功した前記第２認証処理で用いられた前記第２認証情報に対応する前記認証情報記憶部の前記第１認証情報をこれに対応する前記宛先情報の宛先へ送信することにより、前記電子メールサーバーに前記第１認証処理を要求する工程である。前記電子メールサービス利用工程は、前記第１認証要求工程での前記第１認証処理が成功した場合に、成功した前記第１認証処理の要求先である前記電子メールサーバーの前記電子メールサービスを通じて電子メールデータを受信または送信する処理を含む電子メールサービス利用処理を実行する工程である。
【００１３】
本発明の他の局面に係る電子メールサービス利用プログラムは、前記電子メールサーバーと通信可能な情報処理装置のプロセッサーに、前記第２認証用情報入力工程と、前記記憶部参照工程と、前記第２認証処理工程と、前記第１認証要求工程と、前記電子メールサービス利用工程とを実行させるためのプログラムである。
【発明の効果】
【００１４】
本発明によれば、電子メールサーバーと通信可能な装置を通じて電子メールサービスを利用する場合に、認証処理用の情報の入力作業を簡易化できる情報処理装置、画像処理装置、電子メールサービス利用方法および電子メールサービス利用プログラムを提供することが可能になる。
【図面の簡単な説明】
【００１５】
【図１】図１は、実施形態に係る画像処理装置を含む電子メールサービスシステムのブロック図である。
【図２】図２は、実施形態に係る画像処理装置の構成図である。
【図３】図３は、実施形態に係る画像処理装置における情報処理部のブロック図である。
【図４】図４は、実施形態に係る画像処理装置における操作表示部の外観図である。
【図５】図５は、実施形態に係る画像処理装置が実行する端末利用開始処理の手順の一例を示すフローチャートである。
【図６】図６は、実施形態に係る画像処理装置が実行する端末アカウント登録処理の手順の一例を示すフローチャートである。
【図７】図７は、実施形態に係る画像処理装置が実行する端末ログイン処理の手順の一例を示すフローチャートである。
【図８】図８は、実施形態に係る画像処理装置が実行するジョブ選択・実行処理の手順の一例を示すフローチャートである。
【図９】図９は、実施形態に係る画像処理装置が実行する電子メールサービス利用処理の手順の一例を示すフローチャートである。
【図１０】図１０は、実施形態に係る画像処理装置が実行する電子メールサービスログイン処理の手順の一例を示すフローチャートである。
【図１１】図１１は、実施形態に係る画像処理装置が実行する受信メールジョブ選択・実行処理の手順の一例を示すフローチャート図である。
【図１２】図１２は、実施形態に係る画像処理装置が実行する電子メール作成・送信処理の手順の一例を示すフローチャート図である。
【図１３】図１３は、実施形態に係る画像処理装置が出力するログイン画面の一例を示す図である。
【図１４】図１４は、実施形態に係る画像処理装置が出力する端末アカウント登録画面の一例を示す図である。
【図１５】図１５は、実施形態に係る画像処理装置が出力するジョブ選択画面の一例を示す図である。
【図１６】図１６は、実施形態に係る画像処理装置が出力する電子メールサービス利用画面の一例を示す図である。
【図１７】図１７は、実施形態に係る画像処理装置が出力する受信メール基本画面の一例を示す図である。
【図１８】図１８は、実施形態に係る画像処理装置が出力する新規送信用の電子メール作成画面の初期状態の一例を示す図である。
【図１９】図１９は、実施形態に係る画像処理装置が出力する返信用の電子メール作成画面の初期状態の一例を示す図である。
【図２０】図２０は、実施形態に係る画像処理装置が出力する返信用の電子メール作成画面の編集中状態の一例を示す図である。
【図２１】図２１は、実施形態に係る画像処理装置が参照する端末アカウント情報のデータ構成図である。
【図２２】図２２は、実施形態に係る画像処理装置が参照するメールアカウント情報のデータ構成図である。
【図２３】図２３は、実施形態に係る画像処理装置が参照するサーバーマスター情報のデータ構成図である。
【発明を実施するための形態】
【００１６】
以下、添付図面を参照しながら、本発明の実施形態について説明する。なお、以下の実施形態は、本発明を具体化した一例であって、本発明の技術的範囲を限定する性格を有さない。
【００１７】
［第１実施形態］
まず、図１〜４を参照しつつ、本発明の第１実施形態に係る画像処理装置１０の概略構成について説明する。前記画像処理装置１０は、ネットワーク７０を通じて複数の電子メールサーバー７と通信可能な情報処理装置の一例である。電子メールサーバー７は、電子メールサービス提供装置である。電子メールサーバー７各々は、ネットワーク７０を通じて電子メールサービスを提供する計算機である。
【００１８】
電子メールサーバー７各々は、画像処理装置１０などの情報処理装置からの要求に応じてサーバー認証処理を実行する。前記サーバー認証処理は、ネットワーク７０を通じて画像処理装置１０などの前記情報処理装置から受信したサーバー認証用入力情報（第１認証用入力情報）と予め記憶部に記憶されたサーバー認証情報（第１認証情報）とを照合して認証成否を判定する処理である。
【００１９】
前記サーバー認証情報は、電子メールの宛先または送信元の識別情報であるメールアドレスを含む。なお、前記サーバー認証処理、前記サーバー認証用入力情報および前記サーバー認証情報は、それぞれ第１認証処理、第１認証用入力情報および第１認証情報の一例である。
【００２０】
さらに、電子メールサーバー７各々は、前記サーバー認証処理が成功した場合に、前記サーバー認証用入力情報の送信元に対してネットワーク７０を通じて前記電子メールサービスを提供する。前記電子メールサービスは、電子メール受信サービスおよび電子メール送信サービスを含む。
【００２１】
前記電子メール受信サービスは、自装置が管理する前記サーバー認証情報に対応する前記メールアドレスを宛先とする電子メールデータＤ０を他のＥメールサーバー７から受信するとともに、その宛先に対応する前記情報処理装置へ送信するサービスである。以下、前記電子メール受信サービスおよび前記電子メール送信サービス各々のことを、受信サービスおよび送信サービスと略称する。
【００２２】
前記受信サービスにおいて、電子メールサーバー７は、他の電子メールサーバー７から受信した電子メールデータＤ０を記憶部に記憶させるとともに、受信した旨をその宛先に対応する前記情報処理装置へ通知する。さらに、電子メールサーバー７は、前記サーバー認証処理に成功した前記情報処理装置からの要求に応じて、前記記憶部に記憶された電子メールデータＤ０を、ネットワーク７０を通じて前記情報処理装置へ送信する。
【００２３】
前記電子メール送信サービスは、ネットワーク７０を通じて前記情報処理装置から送信される電子メールデータＤ０を、その電子メールデータの宛先に対応する他の電子メールサーバー７へ転送するサービスである。電子メールサーバー７は、前記サーバー認証処理に成功した前記情報処理装置からの要求に応じて前記電子メール送信サービスを提供する。
【００２４】
以下、電子メールのことをＥメールと略称する。即ち、電子メールサーバー７、前記電子メールサービス、電子メールデータＤ０、前記電子メール受信サービスおよび前記電子メール送信サービスのことを、それぞれＥメールサーバー７、Ｅメールサービス、ＥメールデータＤ０、Ｅメール受信サービスおよびＥメール送信サービスと略称する。
【００２５】
画像処理装置１０は、少なくとも画像形成部４および画像読取部１１の一方を備える前記情報処理装置の一例である。本実施形態において、画像処理装置１０は画像形成部４および画像読取部１１を備える複合機である。本発明に係る画像処理装置の他の例として、プリンター（画像形成装置）、コピー機またはファクシミリなども考えられる。
【００２６】
画像形成部４は、前記Ｅメールサービスを通じて受信したＥメールデータＤ０に基づく画像を記録シート９に形成することができる。また、画像読取部１１は、原稿９０の画像を読み取ることにより前記Ｅメールサービスを通じて送信されるＥメールデータＤ０における添付ファイルＤ０２の元になる画像データを生成することができる。なお、画像処理装置１０が画像形成部４および画像読取部１１の一方のみを備えることも考えられる。
【００２７】
図２が示すように、画像処理装置１０は、原稿搬送読取部１、シート供給部２、シート搬送部３、画像形成部４、光走査部５、定着部６、情報処理部８および操作表示部８０などを備える。
【００２８】
原稿搬送読取部１は、画像読取部１１およびＡＤＦ（Auto Document Feeder）１２を備えている。画像読取部１１は、原稿台１１１、読取ユニット１１２、ミラーおよびレンズなどの光学系１１３及びイメージセンサー１１４などを備える。
【００２９】
原稿台１１１は、画像読取部１１の上面に設けられた原稿が載置される部分である。読取ユニット１１２は、原稿台１１１上の読取位置にある原稿９０に光を照射し、その反射光を光学系１１３へ向けて反射する。読取ユニット１１２は、副走査方向（図に向かって左右の方向）に移動可能である。光学系１１３は、原稿９０からの反射光をイメージセンサー１１４へ導く。イメージセンサー１１４は、受光量に応じた電気信号を原稿９０の画像を表す画像データとして情報処理部８へ出力する光電変換素子などを有する。
【００３０】
ＡＤＦ１２は、複数の搬送ローラー１２２各々を駆動させることにより、原稿載置部１２１にセットされた原稿９０を画像読取部１１による画像の読取位置を通過させて排紙トレイ１２３まで搬送する。
【００３１】
シート供給部２は、シート受部２１およびシート送出部２２を備えている。シート受部２１は、複数の記録シート９を重ねて載置可能に構成されている。記録シート９は、紙、コート紙、ハガキ、封筒、およびＯＨＰシートなどのシート状の画像形成媒体である。
【００３２】
シート送出部２２は、シート受部２１に載置された記録シート９を１枚ずつシート搬送部３の搬送路３０へ向けて送り出す。
【００３３】
シート搬送部３は、レジストローラー３１、搬送ローラー３２および排出ローラー３３などを備える。レジストローラー３１および搬送ローラー３２が、シート供給部２から供給される記録シート９を画像形成部４へ向けて搬送する。さらに、排出ローラー３３が画像形成後の記録シート９を搬送路３０の排出口から排出トレイ１０１上へ排出する。
【００３４】
画像形成部４は、シート送出部２２から供給されて搬送路３０を移動中の記録シート９の表面に画像を形成する。画像形成部４は、ドラム状の感光体４１、帯電部４２、現像部４３、転写部４５およびクリーニング部４７などを備える。なお、感光体４１は像担持体の一例である。
【００３５】
感光体４１が回転し、帯電部４２が感光体４１の表面を一様に帯電させる。さらに、光走査部５がレーザー光を走査することにより帯電した感光体４１の表面に静電潜像を書き込み、現像部４３が感光体４１にトナーを供給することにより、静電潜像をトナー像へ現像する。
【００３６】
さらに、転写部４５が、感光体４１の前記トナー像を搬送路３０を移動中の記録シート９に転写する。最後に、クリーニング部４７が感光体４１表面に残存する前記トナーを除去する。
【００３７】
定着部６は、ハロゲンヒーターなどのヒーターを内包する定着ローラー６１と加圧ローラー６２との間に前記トナー像が形成された記録シート９を挟み込み、後工程へ送り出す。これにより、定着部６は、記録シート９上の前記トナー像（画像）を加熱し、記録シート９上に画像を定着させる。
【００３８】
操作表示部８０は、例えばタッチパネルおよび操作ボタンなどを含む情報入力用の操作部８０１と、液晶表示パネルおよび通知ランプなどを含む表示部８０２とを含む。例えば、操作部８０１は、原稿９０の画像を読み取る処理（スキャン処理）などの各種の処理の開始イベントを発生させる開始ボタン８０１１などを含む。
【００３９】
情報処理部８は、表示部８０２に操作メニューなどを表示させる。さらに、情報処理部８は、操作部８０１の操作を通じて入力される入力情報および各種センサーの検出結果に基づいて各種の情報処理を行う。さらに、情報処理部８は、前記情報処理の結果に応じて周辺装置およびモーターなどの電気機器を制御する。例えば、図３が示すように、情報処理部８は、ＭＰＵ（Micro Processor Unit）８１、第１記憶部８２、第２記憶部８３、信号インターフェイス８４および通信部８５などを備えている。
【００４０】
ＭＰＵ８１は、各種の演算およびデータ処理を実行するプロセッサーである。第１記憶部８２および第２記憶部８３は、ＭＰＵ８１が参照する各種情報を記憶する不揮発性の記憶部である。また、第１記憶部８２および第２記憶部８３は、ＭＰＵ８１による各種情報の読み書きが可能な記憶部でもある。
【００４１】
第１記憶部８２は、主としてＭＰＵ８１に各種の処理を実行させるためのプログラムおよびそれらのプログラムを実行するＭＰＵ８１が参照する情報などを記憶する。
【００４２】
第２記憶部８３は、画像処理装置１０が各種のデータ処理を実行する際に処理対象のデータを記憶する。例えば、第２記憶部８３は、Ｅメールサーバー７を通じて受信および送信されるＥメールデータＤ０を記憶する。
【００４３】
ＥメールデータＤ０は、通知文章の情報を含む本文部Ｄ００と、宛先、送信元、件名および通信の日時などの情報を含む付帯部Ｄ０１とを含む。さらに、ＥメールデータＤ０が添付ファイルＤ０２を含む場合もある。
【００４４】
情報処理部８は、ＭＰＵ８１が第１記憶部８２に予め記憶された各種のプログラムを実行することにより画像処理装置１０を統括的に制御する。情報処理部８は、ＭＰＵ８１に後述する各工程を実行させるためのプログラムを一時記憶するＲＡＭなどの不図示の不揮発性記憶部も備える。
【００４５】
信号インターフェイス８４は、ＭＰＵ８１とセンサーおよび制御対象機器との間の信号の受け渡しを中継するインターフェイス回路である。ＭＰＵ８１は、信号インターフェイス８４を介して各種のセンサーの検出信号を入力する。さらに、ＭＰＵ８１は、信号インターフェイス８４を介して操作表示部８０との間で信号の受け渡しを行う。
【００４６】
通信部８５は、ＭＰＵ８１がＬＡＮおよびインターネットなどのネットワーク７０を通じてＥメールサーバー７およびその他の装置との間でデータの送信および受信を行う際の通信を制御するインターフェイスである。ＭＰＵ８１は、通信部８５を通じて他の装置との間でデータの受け渡しを行う。
【００４７】
ところで、画像処理装置１０（情報処理装置）が、それ自体の使用を可能にするための認証処理（端末認証処理）を実行する機能を有する場合がある。例えば、画像形成装置または画像読取装置などである画像処理装置１０が、画像処理を可能にするための認証処理を実行する機能を有する場合がある。
【００４８】
画像処理装置１０などの情報処理装置において、その情報処理装置の認証処理用の情報とＥメールサーバー７の前記サーバー認証処理用の情報とを個別に入力する作業は繁雑である。前記認証処理用の情報は、いわゆるユーザーアカウントの情報を含む。
【００４９】
また、前記情報処理装置において、１人のユーザーが前記Ｅメールサービスにおける複数の前記ユーザーアカウントを利用したＥメールの受信または送信を実行したいというニーズがある。この場合、前記情報処理装置の前記認証処理用の情報と、Ｅメールサーバー７における複数の前記認証処理用の情報各々とを個別に入力する作業はさらに繁雑である。
【００５０】
画像処理装置１０またはそれと同様の機能を有する情報処理装置が採用されれば、Ｅメールサーバー７と通信可能な装置を通じてＥメールサービスを利用する場合に、前記認証処理用の情報の入力作業を簡易化できる。
【００５１】
［ユーザー認証に関する情報］
次に、図２１〜２３を参照しつつ、第１記憶部８２が記憶するユーザー認証に関する情報について説明する。第１記憶部８２は、端末アカウント情報Ｄ１、メールアカウント情報Ｄ２およびサーバーマスター情報Ｄ３を記憶する。例えば、端末アカウント情報Ｄ１、メールアカウント情報Ｄ２およびサーバーマスター情報Ｄ３の各々は、関連情報ごとに１つのレコードを構成するデータベースである。
【００５２】
図２１は、端末アカウント情報Ｄ１のデータ構成の一例である。端末アカウント情報Ｄ１は、画像処理装置１０のユーザーごとに固有の端末認証情報Ｄ１１とそれに対応づけられた登録メールアカウント情報Ｄ１２とを含む。例えば、端末認証情報Ｄ１１は、端末ユーザーＩＤ（Ｄ１１０）と端末パスワードＤ１１１とを含む。
【００５３】
端末認証情報Ｄ１１は、例えば後述する前記端末アカウント登録処理によって第１記憶部８２に記録される。
【００５４】
登録メールアカウント情報Ｄ１２は、端末認証情報Ｄ１１を１つ以上のメールアカウント情報Ｄ２に対応づけるための情報である。登録メールアカウント情報Ｄ１２は、１つ以上のメールアカウント情報Ｄ２の識別情報を含み、端末認証情報Ｄ１１に対応づけられている。
【００５５】
本実施形態におけるメールアカウント情報Ｄ２の識別情報は、メールアカウント情報Ｄ２各々に対応するメールアカウント番号Ｄ２０である。登録メールアカウント情報Ｄ１２は、例えば前記端末アカウント登録処理またはその他の情報編集処理によって端末アカウント情報Ｄ１に追加または削除される。
【００５６】
メールアカウント情報Ｄ２は、メールアカウント番号Ｄ２０と、これに対応づけられたサーバー番号Ｄ３０およびサーバー認証情報Ｄ２１とを含む。サーバー番号Ｄ３０は、Ｅメールサーバー７各々の識別情報の一例である。メールアカウント情報Ｄ２は、Ｅメールサーバー７とサーバー認証情報Ｄ２１とを対応づける情報である。
【００５７】
サーバー認証情報Ｄ２１は、Ｅメールサーバー７各々が認証処理を実行する際に必要な情報である。画像処理装置１０などの前記情報処理装置は、Ｅメールサーバー７に認証処理を要求し、その認証処理が成功した場合にのみ前記Ｅメールサービスの提供を受けることができる。サーバー認証情報Ｄ２１は、ＥメールアドレスＤ２１０とＥメールパスワードＤ２１１とを含む。
【００５８】
サーバーマスター情報Ｄ３は、サーバー番号Ｄ３０とこれに対応する宛先情報Ｄ３１とを含む。宛先情報Ｄ３１はネットワーク７０上での通信の宛先を表す情報である。宛先情報Ｄ３１は、例えばＩＰアドレスなどである。
【００５９】
図２３が示す例では、サーバーマスター情報Ｄ３は、サーバー番号Ｄ３０と、これに対応づけられた宛先情報Ｄ３１およびその他のＥメールサービス関連情報Ｄ３２，Ｄ３３とを含む。
【００６０】
例えば、Ｅメールサービス関連情報Ｄ３２，Ｄ３３は、通信設定情報Ｄ３２および標章情報Ｄ３３とを含む。通信設定情報Ｄ３２は、前記Ｅメールサービスにおける通信プロトコルおよび通信ポートなどの通信条件に関する情報である。標章情報Ｄ３３は、前記Ｅメールサービスの名称またはマーク（アイコン画像）などの情報である。
【００６１】
サーバーマスター情報Ｄ３は、画像処理装置１０がアクセス可能な全てのＥメールサーバー７各々のサーバー番号Ｄ３０およびこれに対応する宛先情報Ｄ３１を含む。サーバーマスター情報Ｄ３は、第１記憶部８２に予め記憶された情報である。
【００６２】
端末アカウント情報Ｄ１およびメールアカウント情報Ｄ２において、端末認証情報Ｄ１１とサーバー認証情報Ｄ２１とが、メールアカウント番号Ｄ２０をキーとして対応づけられている。さらに、メールアカウント情報Ｄ２およびサーバーマスター情報Ｄ３において、サーバー認証情報Ｄ２１とＥメールサーバー７の宛先情報Ｄ３１とがサーバー番号Ｄ３０をキーとして対応づけられている。
【００６３】
即ち、第１記憶部８２は、端末認証情報Ｄ１１と複数のサーバー認証情報Ｄ２１とサーバー認証情報Ｄ２１に対応する宛先情報Ｄ３１とを対応づけて記憶可能な対応認証情報記憶部の一例である。
【００６４】
なお、宛先情報Ｄ３１は、Ｅメールサーバー７のネットワーク７０上の宛先の情報である。また、サーバー認証情報Ｄ２１は、予めＥメールサーバー７の記憶部に記憶された認証情報（第１認証情報）に相当する。また、端末認証情報Ｄ１１は、画像処理装置１０側の認証情報（第２認証情報）である。
【００６５】
従って、情報処理部８は、端末アカウント情報Ｄ１、メールアカウント情報Ｄ２およびサーバーマスター情報Ｄ３を検索することにより、１つの端末ユーザーＩＤ（Ｄ１１０）に対応する１つの端末認証情報Ｄ１１、１つ以上のサーバー認証情報Ｄ２１および１つ以上の宛先情報Ｄ３１を特定することができる。
【００６６】
［画像処理装置１０によるＥメールサービス利用方法］
続いて、図５〜２０を参照しつつ、画像処理装置１０の情報処理部８が前記Ｅメールサービスを利用しつつ画像処理を実行する方法の一例について説明する。以下の説明において、Ｓ１０１，Ｓ１０２，・・・は、処理手順の識別符号を表す。なお、以下に示される情報処理部８の処理は、ＭＰＵ８１が第１記憶部８２に記憶されたコンピュータープログラムを実行することによって実現される。
【００６７】
情報処理部８は、前記Ｅメールサービスを利用しつつ画像処理を実行するために、基本処理、端末アカウント登録処理、端末ログイン処理およびジョブ選択・実行処理などを実行する。
【００６８】
[前記基本処理]
図５は、前記基本処理の手順の一例を示すフローチャートである。情報処理部８は、操作部８０１に対して予め定められた開始操作が行われたことを検知したときに前記基本処理を実行する。
【００６９】
＜工程Ｓ１０１＞
前記基本処理において、まず、情報処理部８は、図１３に示されるようなログイン画面ｇ１を表示部８０２に表示させる。図１３が示すログイン画面ｇ１は、前記端末アカウント登録処理を開始するための操作を受け付ける画面と、前記端末ログイン処理を開始するための操作を受け付ける画面とを兼ねる。
【００７０】
例えば、ログイン画面ｇ１は、情報入力枠ｇ１１と登録操作アイコンｇ１２とログイン操作アイコンｇ１３とログアウト操作アイコンｇ０１とを含む。情報入力枠ｇ１１は、操作表示部８０に対する操作を通じて情報を入力するユーザーインターフェイスである。
【００７１】
＜工程Ｓ１０２，Ｓ１０３＞
さらに、情報処理部８は、情報入力枠ｇ１１を通じて、操作表示部８０に対する操作に従って入力情報を取得する（Ｓ１０２）。その際、情報処理部８は、登録操作アイコンｇ１２、ログイン操作アイコンｇ１３およびログアウト操作アイコンｇ０１のいずれかが操作されたか否かを監視し（Ｓ１０３）、いずれかのアイコンが操作されるまで工程Ｓ１０２の情報入力処理を継続する。
【００７２】
情報処理部８が工程Ｓ１０２で入力する情報は、画像処理装置１０におけるユーザーの認証用の情報である。この入力情報は、例えば、ユーザーＩＤとパスワードとを含む。以下、画像処理装置１０におけるユーザー認証用の入力情報のことを端末認証用入力情報Ｄｉと称する。端末認証用入力情報Ｄｉは第２認証用入力情報の一例である。
【００７３】
登録操作アイコンｇ１２またはログイン操作アイコンｇ１３が操作されると、情報処理部８は、情報入力枠ｇ１１を通じた情報入力が確定したと判定する。さらに、情報処理部８は、情報入力枠ｇ１１を通じて入力された情報を用いる次の処理を実行する。
【００７４】
なお、工程Ｓ１０１〜Ｓ１０３は、ＭＰＵ８１が端末認証用情報入力プログラムＰｒ１を実行することによって実現される。端末認証用情報入力プログラムＰｒ１を実行するＭＰＵ８１が第２認証用情報入力部の一例である。また、工程Ｓ１０１〜Ｓ１０３が、第２認証用情報入力工程の一例である。
【００７５】
＜工程Ｓ１０４，Ｓ１０５＞
情報処理部８は、登録操作アイコンｇ１２が操作されたことを検知すると、端末アカウント登録処理を実行する（Ｓ１０４）。また、情報処理部８は、ログイン操作アイコンｇ１３が操作されたことを検知すると、前記端末ログイン処理を実行する（Ｓ１０５）。前記端末アカウント登録処理および前記端末ログイン処理の詳細については後述する。
【００７６】
また、情報処理部８は、ログアウト操作アイコンｇ０１が操作されたことを検知すると、画像処理装置１０の利用に関する処理を終了させる。
【００７７】
＜工程Ｓ１０６＞
また、前記端末アカウント登録処理または前記端末ログイン処理が終了すると、情報処理部８は、前記ジョブ選択・実行処理を実行する（Ｓ１０６）。後述するように、選択対象のジョブは、前記Ｅメールサービスを利用するＥメールジョブを含む。前記ジョブ選択・実行処理において、選択されたジョブが実行される。前記ジョブ選択・実行処理の詳細については後述する。
【００７８】
そして、情報処理部８は、ログアウト操作アイコンｇ０１を含む画面を操作表示部８０に随時出力し、ログアウト操作アイコンｇ０１が操作されたことを検知するまで、工程Ｓ１０６の処理を繰り返す。
【００７９】
［前記端末アカウント登録処理］
次に、図６を参照しつつ、前記端末アカウント登録処理について説明する。図６は、前記端末アカウント登録処理の手順の一例を示すフローチャートである。
【００８０】
＜工程Ｓ２０１＞
前記端末アカウント登録処理において、まず、情報処理部８は、図１４に示されるような端末アカウント登録画面ｇ２を操作表示部８０に出力する。図１４が示す端末アカウント登録画面ｇ２は、第１情報入力枠ｇ２１と、第２情報入力枠ｇ２２と、登録操作アイコンｇ２３と中止操作アイコンｇ２４とを含む。第１情報入力枠ｇ２１および第２情報入力枠ｇ２２は、操作表示部８０に対する操作により入力される情報が表示される部分である。また、図１４が示す端末アカウント登録画面ｇ２は、ログアウト操作アイコンｇ０１も含む。
【００８１】
＜工程Ｓ２０２，Ｓ２０３＞
さらに、情報処理部８は、第１情報入力枠ｇ２１および第２情報入力枠ｇ２２を通じて、操作表示部８０に対する操作に従って情報を入力する（Ｓ２０２）。その際、情報処理部８は、登録操作アイコンｇ２３および中止操作アイコンｇ２４のいずれかが操作されたか否かを監視し（Ｓ２０３）、いずれかのアイコンが操作されるまで工程Ｓ２０２の情報入力処理を継続する。
【００８２】
情報処理部８が第１情報入力枠ｇ２１を通じて入力する情報は、端末認証用入力情報Ｄｉであり、例えば、ユーザーＩＤとパスワードとを含む。第１情報入力枠ｇ２１を通じて入力される情報の初期値は、前記ログイン画面の情報入力枠ｇ１１を通じて入力した端末認証用入力情報Ｄｉである。
【００８３】
また、情報処理部８が第２情報入力枠ｇ２２を通じて入力する情報は、画像処理装置１０のユーザーに関する他の情報である。例えば、サーバー認証情報Ｄ２１およびこれに対応するサーバー番号Ｄ３０などが、第２情報入力枠ｇ２２を通じて入力される。
【００８４】
以下の説明において、情報処理部８が第１情報入力枠ｇ２１および第２情報入力枠ｇ２２を通じて入力する情報のことを端末アカウント登録用入力情報Ｄｉｅと称する。端末アカウント登録用入力情報Ｄｉｅは端末認証用入力情報Ｄｉを含む。
【００８５】
なお、情報処理部８は、ログアウト操作アイコンｇ０１が操作されたことを検知した場合には、画像処理装置１０の利用に関する処理を終了させる。その終了処理についての記載は、各フローチャートの図において省略されている。
【００８６】
＜工程Ｓ２０４＞
情報処理部８は、登録操作アイコンｇ２３が操作されたことを検知すると、工程Ｓ２０２で入力した端末アカウント登録用入力情報Ｄｉｅが、予め定められた許容条件を満足しているか否かをチェックする。例えば、前記許容条件は、端末アカウント登録用入力情報Ｄｉｅにおける端末認証用入力情報Ｄｉが、第１記憶部８２に既に記憶されている端末認証情報Ｄ１１と重複していないという条件を含む。また、前記許容条件が、端末アカウント登録用入力情報Ｄｉｅを構成する文字および記号の種類および数などが予め定められた範囲内に収まっているという条件を含むことも考えられる。
【００８７】
＜工程Ｓ２０５＞
端末アカウント登録用入力情報Ｄｉｅが前記許容条件を満たしている場合、情報処理部８は、端末アカウント登録用入力情報Ｄｉｅを端末アカウント情報Ｄ１およびメールアカウント情報Ｄ２の一部として第１記憶部８２に記録する（図２１，２２参照）。これにより、前記端末アカウント登録処理が終了する。
【００８８】
より具体的には、第１情報入力枠ｇ２１を通じて入力された端末認証用入力情報Ｄｉが、端末アカウント情報Ｄ１の端末認証情報Ｄ１１として第２記憶部８３に記録される。さらに、第２情報入力枠ｇ２２を通じて入力されたメールアカウント番号Ｄ２０およびサーバー認証情報Ｄ２１が、追加された端末認証情報Ｄ１１に対応する登録メールアカウント情報Ｄ１２およびサーバー認証情報Ｄ２１として第２記憶部８３に記録される。
【００８９】
＜工程Ｓ２０６＞
一方、前記端末アカウント登録用入力情報が前記許容条件を満たしていない場合、情報処理部８は、操作表示部８０にエラーメッセージを出力する。その後、情報処理部８は、再び前述した工程Ｓ２０１からの処理を実行する。
【００９０】
なお、工程Ｓ２０１〜Ｓ２０６は、ＭＰＵ８１が端末アカウント登録プログラムＰｒ２を実行することによって実現される。ここで、工程Ｓ２０１〜Ｓ２０３の処理を実行するＭＰＵ８１は、操作部８０１に対する操作に従ってサーバー認証情報Ｄ２１（第１認証情報）を入力する。さらに、工程Ｓ２０５を実行するＭＰＵ８１は、入力されたサーバー認証情報Ｄ２１と端末認証情報Ｄ１１（第２認証情報）とを対応づけて第１記憶部８２へ記録する。
【００９１】
［前記端末ログイン処理］
次に、前記端末ログイン処理について説明する。図７は、前記端末ログイン処理の手順の一例を示すフローチャートである。情報処理部８は、ログイン画面ｇ１の情報入力枠ｇ１１を通じて端末認証用入力情報Ｄｉを入力した後に、ログイン操作アイコンｇ１３が操作されたことを検知したときに、前記端末ログイン処理を実行する（図１３参照）。
【００９２】
＜工程Ｓ３０１＞
前記端末ログイン処理において、まず、情報処理部８は、端末認証処理を実行する。前記端末認証処理は、第１記憶部８２の情報を参照することにより、端末認証用入力情報Ｄｉと第１記憶部８２における端末アカウント情報Ｄ１の端末認証情報Ｄ１１とを照合して認証成否を判定する処理（第２認証処理）である。前述したように、第１記憶部８２は、端末認証情報Ｄ１１と複数のサーバー認証情報Ｄ２１とそのサーバー認証情報Ｄ２１に対応する宛先情報Ｄ３１とを対応づけて記憶可能な対応認証情報記憶部の一例である。
【００９３】
前記端末認証処理が成功した場合、情報処理部８は、前記端末ログイン処理を終了させる。以下の説明において、この工程Ｓ３０１の前記端末認証処理が成功したときの前記照合に用いられた端末認証情報Ｄ１１、即ち、成功した前記端末認証処理で用いられた端末認証情報Ｄ１１のことをログイン端末認証情報と称する。
【００９４】
＜工程Ｓ３０２＞
一方、前記端末認証処理が失敗した場合、情報処理部８は、表示部８０２にエラーメッセージを出力する。その後、情報処理部８は、処理を前述した工程Ｓ１０１へ移行させる。
【００９５】
なお、前記端末認証処理を含む前記端末ログイン処理は、ＭＰＵ８１が端末認証プログラムＰｒ３を実行することによって実現される。端末認証プログラムＰｒ３を実行するＭＰＵ８１が第２認証処理部の一例である。また、工程Ｓ３０１が第２認証処理工程の一例である。
【００９６】
［前記ジョブ選択・実行処理］
次に、図８を参照しつつ前記ジョブ選択・実行処理について説明する。図８は、前記ジョブ選択・実行処理の手順の一例を示すフローチャートである。
【００９７】
＜工程Ｓ４０１＞
前記ジョブ選択・実行処理において、まず、情報処理部８は、図１５に示されるようなジョブ選択画面ｇ３を表示部８０２に表示させる。
【００９８】
図１５が示すジョブ選択画面ｇ３は、コピー、スキャン画像データ送信、スキャン画像データ保存、ファクシミリ送信、インターネット接続および前記Ｅメールサービスの利用などの各種のジョブに対応する操作アイコンを含む。以下、Ｅメールサービスに対応した操作アイコンのことをＥメールアイコンｇ３０と称する。
【００９９】
＜工程Ｓ４０２＞
さらに、情報処理部８は、ジョブ選択画面ｇ３におけるいずれの操作アイコンが操作されたかを監視する。
【０１００】
＜工程Ｓ４０３，Ｓ４０４＞
情報処理部８は、Ｅメールアイコンｇ３０が操作されたことを検知すると、後述するＥメールデータ処理を実行する（Ｓ４０３）。また、情報処理部８は、その他の操作アイコンが操作されたことを検知すると、操作された操作アイコンに対応するジョブを実行する（Ｓ４０４）。前期Ｅメールデータ処理（Ｓ４０３）の詳細については後述する。
【０１０１】
なお、情報処理部８は、ジョブ選択画面ｇ３のログアウト操作アイコンｇ０１が操作されたことを検知した場合には、画像処理装置１０の利用に関する処理を終了させる。その終了処理についての記載は、各フローチャートの図において省略されている。
【０１０２】
情報処理部８は、工程Ｓ４０３または工程Ｓ４０４の後、ログアウト操作アイコンｇ０１が操作されるまで、工程Ｓ４０１からの処理を繰り返す。
【０１０３】
工程Ｓ４０１〜Ｓ４０４の処理は、情報処理部８がジョブ選択・実行プログラムＰｒ４を実行することによって実現される。
【０１０４】
［電子メールデータ処理］
次に、図９，１０を参照しつつ前記電子メールデータ処理について説明する。図９は、前記電子メールデータ処理の手順の一例を示すフローチャートである。図１０は、前記電子メールデータ処理に含まれる電子メールサービスログイン処理の手順の一例を表すフローチャートである。
【０１０５】
＜工程Ｓ５０１＞
前記電子メールデータ処理において、まず、情報処理部８は、電子メールサービスログイン処理を実行する。前記電子メールサービスログイン処理は、前記Ｅメールサービスの提供を受けるためにＥメールサーバー７に対して認証処理を要求する処理である。前記電子メールサービスログイン処理は、前記端末ログイン処理の認証処理（Ｓ３０１）が成功した場合に実行される。
【０１０６】
図１０に示される工程Ｓ６０１〜Ｓ６０４が前記電子メールサービスログイン処理の一例である。
【０１０７】
＜工程Ｓ６０１＞
前記電子メールサービスログイン処理において、まず、情報処理部８は、端末アカウント情報Ｄ１を参照し、前記ログイン端末認証情報に対応する登録メールアカウント情報Ｄ１２にメールアカウント番号Ｄ２０が存在するか否かを判定する。この判定処理は、端末ユーザーＩＤ（Ｄ１１０）をキーとして端末アカウント情報Ｄ１を検索する処理である。
【０１０８】
前記ログイン端末認証情報に対応するメールアカウント番号Ｄ２０が存在しない場合、情報処理部８は当該端末ログイン処理を終了させる。
【０１０９】
＜工程Ｓ６０２＞
前記ログイン端末認証情報に対応するメールアカウント番号Ｄ２０が存在する場合、情報処理部８は、そのメールアカウント番号Ｄ２０に対応するＥメールサーバー７に対して前記サーバー認証処理を要求する。
【０１１０】
より具体的には、情報処理部８は、メールアカウント情報Ｄ２およびサーバーマスター情報Ｄ３を参照し、前記ログイン端末認証情報に対応するメールアカウント情報Ｄ２、Ｅメールサーバー７の宛先情報Ｄ３１、およびＥメールサービス関連情報Ｄ３２，Ｄ３３を特定する。
【０１１１】
さらに、情報処理部８は、特定したサーバー認証情報Ｄ２１を特定した宛先情報Ｄ３１の宛先へ送信することにより、Ｅメールサーバー７に前記サーバー認証処理を要求する。その際、情報処理部８は、特定したＥメールサービス関連情報Ｄ３２，Ｄ３３の通信設定情報Ｄ３２が表す通信条件の下で、前記サーバー認証処理を要求する処理を実行する。さらに、情報処理部８は、Ｅメールサーバー７から前記サーバー認証処理の結果を受信する。
【０１１２】
また、端末アカウント情報Ｄ１において、前記ログイン端末認証情報が複数のメールアカウント番号Ｄ２０に対応づけられている場合がある。この場合、工程Ｓ６０２において、情報処理部８は、それら複数のメールアカウント番号Ｄ２０に対応する複数のＥメールアドレスＤ２１０について、前記サーバー認証処理の要求を実行する。
【０１１３】
工程Ｓ６０１，Ｓ６０２は、ＭＰＵ８１がサーバー認証要求プログラムＰｒ５を実行することによって実現される。サーバー認証要求プログラムＰｒ５を実行するＭＰＵ８１が、前記端末認証処理が成功した場合にＥメールサーバー７に前記サーバー認証処理（第１認証処理）を要求する第１認証要求部の一例である。また、工程Ｓ６０１，Ｓ６０２が、第１認証要求工程の一例である。
【０１１４】
さらに、工程Ｓ６０１，Ｓ６０２は、前記対応認証情報記憶部の一例である第１記憶部８２の情報を参照する記憶部参照工程の一例でもある。
【０１１５】
＜工程Ｓ６０３＞
前記サーバー認証処理が成功した場合、情報処理部８は、受信電子メール情報取得処理を実行する。前記受信電子メール情報取得処理は、成功した前記サーバー認証処理の要求先のＥメールサーバー７からそのＥメールサーバー７に到達している受信電子メールデータの情報を取得する処理である。前記受信電子メールデータは、前記サーバー認証処理に用いられたサーバー認証情報Ｄ２１のＥメールアドレスＤ２１０を宛先とする電子メールデータＤ０である。
【０１１６】
前記受信電子メール情報取得処理において、情報処理部８は、Ｅメールサーバー７に対して前記受信電子メールデータの情報として前記受信電子メールデータの付帯部Ｄ０１を送信することを要求し、その付帯部Ｄ０１の情報を取得する。情報処理部８は、工程Ｓ６０３の後に当該電子メールサービスログイン処理を終了させる。
【０１１７】
また、前記ログイン端末認証情報が複数のメールアカウント番号Ｄ２０に対応づけられている場合、工程Ｓ６０３の処理はそれら複数のメールアカウント番号Ｄ２０に対応する複数のＥメールアドレスＤ２１０各々について実行される。
【０１１８】
なお、工程Ｓ６０３は、ＭＰＵ８１が受信電子メール情報取得プログラムＰｒ６を実行することによって実現される。受信電子メール情報取得プログラムＰｒ６を実行するＭＰＵ８１が、受信電子メール情報取得部の一例である。また、工程Ｓ６０３が、受信電子メール情報取得工程の一例である。
【０１１９】
＜工程Ｓ６０４＞
また、工程Ｓ６０２において前記サーバー認証処理が失敗した場合、情報処理部８は、表示部８０２にエラーメッセージを出力する。情報処理部８は、工程Ｓ６０４の後に工程Ｓ１０６（前記ジョブ選択・実行処理）へ処理を移行させる。
【０１２０】
＜工程Ｓ５０２＞
前記サーバー認証処理が成功した場合、情報処理部８は、図１６に示されるような電子メールサービス基本画面ｇ４を表示部８０２に表示させる。電子メールサービス基本画面ｇ４は、Ｅメールサーバー７から取得した前記受信電子メールデータの付帯部Ｄ０１の情報を含む。
【０１２１】
図１６が示す電子メールサービス基本画面ｇ４は、Ｅメールアドレス表示欄ｇ４１、受信電子メール概要表示欄ｇ４２、受信電子メール複数選択欄ｇ４３、削除アイコンｇ４４、新規メールアイコンｇ４５、フォルダー選択アイコンｇ４６および中止アイコンｇ０２などを含む。
【０１２２】
Ｅメールアドレス表示欄ｇ４１は、前記ログイン端末認証情報に対応するＥメールアドレスＤ２１０が表示される部分である。前記ログイン端末認証情報に対応するＥメールアドレスＤ２１０が複数存在する場合、Ｅメールアドレス表示欄ｇ４１は、前記受信メールデータの情報の表示対象とする１つのＥメールアドレスＤ２１０を選択するための操作アイコンでもある。
【０１２３】
図１６に示される電子メールサービス基本画面ｇ４には、選択されているＥメールアドレスＤ２１０に対応する前記Ｅメールサービスの標章情報Ｄ３３も含まれる。
【０１２４】
受信電子メール概要表示欄ｇ４２は、前記受信電子メールデータの付帯部Ｄ０１の情報が表示される部分である。受信電子メール概要表示欄ｇ４２は、詳細表示の対象とする１つの前記受信電子メールデータを選択するための操作アイコンでもある。
【０１２５】
図１６が示す例では、前記受信電子メールデータの付帯部Ｄ０１の情報は、件名Ｄ０１１、送信元ＥメールアドレスＤ０１２、添付ファイル有無情報Ｄ０１３および受信日Ｄ０１４などを含む。さらに、図１６が示す例は、端末アカウント情報Ｄ１およびメールアカウント情報Ｄ２において、前記ログイン端末認証情報と３つのＥメールアドレスＤ２１０とが対応づけられている場合の例である。
【０１２６】
受信電子メール複数選択欄ｇ４３は、削除の対象とする１つまたは複数の前記受信電子メールデータを選択するためのチェックボックスである。
【０１２７】
削除アイコンｇ４４は、受信電子メール複数選択欄ｇ４３で選択された前記受信電子メールデータをＥメールサーバー７から削除する処理を情報処理部８に実行させるための操作アイコンである。
【０１２８】
新規メールアイコンｇ４５は、送信用の新たな電子メールデータを作成および送信する電子メール作成・送信処理を情報処理部８に実行させるための操作アイコンである。
【０１２９】
フォルダー選択アイコンｇ４６は、Ｅメールサーバー７におけるＥメールデータＤ０の保存用のフォルダーを選択するための操作アイコンである。
【０１３０】
電子メールサービス基本画面ｇ４の中止アイコンｇ０２は、前記電子メールデータ処理の中止のための操作アイコンである。
【０１３１】
＜工程Ｓ５０３＞
次に、情報処理部８は、電子メールサービス基本画面ｇ４の表示中に操作部８０１にどのような操作がなされるかを監視する。
【０１３２】
＜工程Ｓ５０４＞
情報処理部８は、受信電子メール概要表示欄ｇ４２の操作により１つの前記受信電子メールデータが選択されたことを検知すると、選択された前記受信電子メールデータをＥメールサーバー７から取得する。取得した前記受信メールデータは、第２記憶部８３に格納される。
【０１３３】
＜工程Ｓ５０５＞
さらに、情報処理部８は、後述する受信メールジョブ選択・実行処理を実行する。前記受信メールジョブ選択・実行処理は、工程S５０４でＥメールサーバー７から取得した前記受信電子メールデータに関する処理である。工程Ｓ５０５の後、情報処理部８は、処理を工程Ｓ５０２へ移行させる。
【０１３４】
＜工程Ｓ５０６＞
一方、情報処理部８は、新規メールアイコンｇ４５が操作されたことを検知すると、前記電子メール作成・送信処理を実行する。前記電子メール作成・送信処理の詳細については後述する。工程Ｓ５０６の後、情報処理部８は、処理を工程Ｓ５０２へ移行させる。
【０１３５】
＜工程Ｓ５０７＞
また、情報処理部８は、電子メールサービス基本画面ｇ４の表示中に、受信電子メール概要表示欄ｇ４２または新規メールアイコンｇ４５の操作とは異なる操作が行われたことを検知すると、検知した操作に対応する処理を実行する。工程Ｓ５０７の後、情報処理部８は、処理を工程Ｓ５０２へ移行させる。
【０１３６】
例えば、情報処理部８は、Ｅメールアドレス表示欄ｇ４１に対する操作によって１つのＥメールアドレスＤ２１０が選択されたことを検知すると、選択されたＥメールアドレスＤ２１０に対応する前記受信電子メールデータの付帯部Ｄ０１の情報を、電子メールサービス基本画面ｇ４の受信電子メール概要表示欄ｇ４２に表示させる。
【０１３７】
また、情報処理部８は、受信電子メール複数選択欄ｇ４３に対する操作によって１つ以上の前記受信メールデータが選択された後に削除アイコンｇ４４が操作されたことを検知すると、選択された前記受信メールデータを削除することをＥメールサーバー７に要求する処理を実行する。
【０１３８】
また、情報処理部８は、フォルダー選択アイコンｇ４６に対する操作によってフォルダーが選択されたことを検知すると、選択されたフォルダーに対応する前記受信電子メールデータの付帯部Ｄ０１の情報を、電子メールサービス基本画面ｇ４の受信電子メール概要表示欄ｇ４２に表示させる。
【０１３９】
また、情報処理部８は、中止アイコンｇ０２に対する操作を検知すると、処理を工程Ｓ４０１に戻して前記ジョブ選択・実行処理を再び実行する。
【０１４０】
以上に示された工程Ｓ５０２〜Ｓ５０７は、前記端末認証処理が成功した上で前記サーバー認証処理（第１認証処理）が成功した場合に実行される。
【０１４１】
なお、工程Ｓ５０２〜Ｓ５０７は、ＭＰＵ８１がＥメールサービス利用プログラムＰｒ７を実行することによって実現される。Ｅメールサービス利用プログラムＰｒ７を実行するＭＰＵ８１が、電子メールサービスアクサセス処理を実行する電子メールサービス利用部の一例である。前記電子メールサービス利用処理は、成功した前記サーバー認証処理の要求先であるＥメールサーバー７の前記Ｅメールサービスを通じてＥメールデータＤ０を受信（Ｓ５０４）または送信（Ｓ５０６）する処理を含む。また、工程Ｓ５０４，Ｓ５０６は、電子メールサービス利用工程の一例である。
【０１４２】
また、工程Ｓ５０２，Ｓ５０３を実行するＭＰＵ８１は、前記受信電子メールデータの情報を出力する（Ｓ５０２）とともに、操作部８０１に対する操作に従って受信の対象とする前記受信電子メールデータを選択する受信データ選択部の一例である。工程Ｓ５０２，Ｓ５０３で選択される前記受信電子メールデータは、前記電子メールサービス利用処理の工程Ｓ５０４において受信の対象とするＥメールデータＤ０である。
【０１４３】
［前記受信メールジョブ選択・実行処理］
次に、図１１を参照しつつ、前記受信メールジョブ選択・実行処理の一例について説明する。
【０１４４】
＜工程Ｓ７０１＞
前記受信メールジョブ選択・実行処理において、まず、情報処理部８は、工程Ｓ５０４で取得した前記受信電子メールデータの詳細情報を含む受信メール基本画面ｇ５を表示部８０２に表示させる。
【０１４５】
図１７が示す受信メール基本画面ｇ５は、受信電子メール詳細表示欄ｇ５０、返信アイコンｇ５１、プリントアイコンｇ５２、添付ファイルプリントアイコンｇ５３、プレビューアイコンｇ５４、添付ファイル表示欄ｇ５５、添付ファイル選択部ｇ５６および中止アイコンｇ０２などを含む。
【０１４６】
受信電子メール詳細表示欄ｇ５０は、工程Ｓ５０３で選択された前記受信メールデータの本文部Ｄ００および付帯部Ｄ０１の情報が表示される部分である。
【０１４７】
返信アイコンｇ５１は、工程Ｓ５０３で選択された前記受信メールデータに対する返信用のＥメールデータＤ０を作成する返信Ｅメール作成処理を情報処理部８に実行させるための操作アイコンである。
【０１４８】
プリントアイコンｇ５２は、工程Ｓ５０３で選択された前記受信メールデータに基づく画像の前記プリント処理を画像形成部４に実行させるための操作アイコンである。
【０１４９】
添付ファイルプリントアイコンｇ５３は、工程Ｓ５０３で選択された前記受信メールデータにおける添付ファイルＤ０２に基づく画像の前記プリント処理を画像形成部４に実行させるための操作アイコンである。
【０１５０】
プレビューアイコンｇ５４は、工程Ｓ５０３で選択された前記受信メールデータに基づく画像を表示部８０２に表示させるプレビュー処理を情報処理部８に実行させるための操作アイコンである。
【０１５１】
添付ファイル表示欄ｇ５５は、工程Ｓ５０３で選択された前記受信メールデータが添付ファイルＤ０２を含む場合に、その添付ファイルＤ０２のファイル名Ｄ０２０が表示される部分である。
【０１５２】
添付ファイル選択部ｇ５６は、工程Ｓ５０３で選択された前記受信メールデータが添付ファイルＤ０２を含む場合に、１つまたは複数の添付ファイルＤ０２を選択するためのチェックボックスである。
【０１５３】
＜工程Ｓ７０２＞
次に、情報処理部８は、受信メール基本画面ｇ５の表示中に操作部８０１に対してどのような操作がなされるかを監視する。
【０１５４】
情報処理部８は、プリントアイコンｇ５２に対する操作を検知すると、後述するＥメール本文プリント制御（Ｓ７０３，Ｓ７０４）を実行し、さらに、必要に応じて添付ファイルプリント制御（Ｓ７０５，Ｓ７０６）を実行する。
【０１５５】
また、情報処理部８は、添付ファイル選択部ｇ５６に対する操作によって添付ファイルＤ０２が選択された後に添付ファイルプリントアイコンｇ５３に対する操作を検知すると、前記添付ファイルプリント制御（Ｓ７０５，Ｓ７０６）を実行する。
【０１５６】
また、情報処理部８は、プレビューアイコンｇ５４に対する操作を検知すると、前記プレビュー処理（Ｓ７０７〜Ｓ７０９）を実行する。
【０１５７】
また、情報処理部８は、返信アイコンｇ５１に対する操作を検知すると、前記返信Ｅメール作成・送信処理（Ｓ７１０，Ｓ７１１）を実行する。
【０１５８】
なお、情報処理部８は、受信メール基本画面ｇ５の中止アイコンｇ０２に対する操作を検知すると、処理を工程Ｓ５０２に戻して前記電子メールデータ処理における電子メールサービス基本画面ｇ４の出力以降の処理を再び実行する。
【０１５９】
＜工程Ｓ７０３，Ｓ７０４＞
前記Ｅメール本文プリント制御において、まず、情報処理部８は、工程Ｓ５０４でＥメールサーバー７から取得した前記受信メールデータの本文部Ｄ００を画像形成用のプリントジョブデータへ変換する（Ｓ７０３）。
【０１６０】
さらに、情報処理部８は、工程Ｓ７０３で生成された前記プリントジョブデータに基づく前記プリント処理を画像形成部４に実行させる（Ｓ７０４）。
【０１６１】
＜工程Ｓ７０５，Ｓ７０６＞
また、前記添付ファイルプリント制御において、まず、情報処理部８は、受信メール基本画面ｇ５の添付ファイル選択部ｇ５６に対する操作によって選択された添付ファイルＤ０２を画像形成用のプリントジョブデータへ変換する（Ｓ７０５）。
【０１６２】
さらに、情報処理部８は、工程Ｓ７０５で生成された前記プリントジョブデータに基づく前記プリント処理を画像形成部４に実行させる（Ｓ７０６）。
【０１６３】
なお、受信メール基本画面ｇ５の添付ファイル選択部ｇ５６に対する操作によって添付ファイルＤ０２が選択されていない場合、前記添付ファイルプリント制御（Ｓ７０５，Ｓ７０６）はスキップされる。
【０１６４】
＜工程Ｓ７０７〜Ｓ７０９＞
前記プレビュー処理において、まず、情報処理部８は、工程Ｓ５０４でＥメールサーバー７から取得した前記受信メールデータの本文部Ｄ００を表示部８０２の表示用データへ変換する（Ｓ７０７）。
【０１６５】
さらに、工程Ｓ７０２において添付ファイル選択部ｇ５６に対する操作によって添付ファイルＤ０２が選択されている場合、情報処理部８は、選択された添付ファイルＤ０２を表示部８０２の表示用データへ変換する（Ｓ７０８）。前記表示要データは、第２記憶部８３に格納される。
【０１６６】
さらに、情報処理部８は、工程Ｓ７０７，Ｓ７０８で生成された前記表示用データに基づくプレビュー画像を表示部８０２に表示させる（Ｓ７０９）。
【０１６７】
<工程Ｓ７１０，Ｓ７１１＞
また、前記返信Ｅメール作成・送信処理において、まず、情報処理部８は、返信メール初期設定処理を実行する（Ｓ７１０）。
【０１６８】
前記返信メール初期設定処理は、工程Ｓ５０４でＥメールサーバー７から取得した前記受信メールデータの情報を新たなＥメールデータＤ０の初期値の一部として設定する処理である。例えば、前記返信メール初期設定処理において、前記受信メールデータの件名Ｄ０１１、送信元ＥメールアドレスＤ０１２、宛先Ｅメールアドレスおよび本文部Ｄ００が、それぞれ新たなＥメールデータＤ０の件名Ｄ０１１、宛先Ｅメールアドレス、送信元ＥメールアドレスＤ０１２および本文部Ｄ００の初期値の一部として設定される。
【０１６９】
さらに、情報処理部８は、工程Ｓ７１０で設定された情報を含む新たなＥメールデータＤ０を初期データとして前記電子メール作成・送信処理を実行する（Ｓ７１１）。工程Ｓ７１１における前記電子メール作成・送信処理は、工程Ｓ７１０で設定された情報を含む前記初期データを用いること以外は、工程Ｓ５０６の処理と同じである。
【０１７０】
工程Ｓ７０６，Ｓ７０９またはＳ７１１の後、前記受信メールジョブ選択・実行処理は終了する。
【０１７１】
なお、工程Ｓ７０１，Ｓ７０２の処理を実行する情報処理部８は、画像形成対象選択部の一例である。即ち、工程Ｓ７０１，Ｓ７０２の処理を実行する情報処理部８は、操作部８０１に対する操作に従って、前記Ｅ電子メールサービスを通じて受信したＥメールデータＤ０における本文部Ｄ００および添付ファイルＤ０２の一方または両方を、画像形成部４による画像形成の対象として選択する。
【０１７２】
［前記電子メール作成・送信処理］
次に、図１２を参照しつつ、前記電子メール作成・送信処理の一例について説明する。前記電子メール作成・送信処理は、電子メールサービス基本画面ｇ４の新規メールアイコンｇ４５または受信メール基本画面ｇ５の返信アイコンｇ５１が操作されたときに実行される。
【０１７３】
＜工程Ｓ８０１＞
前記電子メール作成・送信処理において、まず、情報処理部８は、図１８，１９に示されるような電子メール作成画面ｇ６を表示部８０２に表示させる。
【０１７４】
図１８は、新規送信用の電子メール作成画面ｇ６の初期状態の一例を示す。一方、図１９は、返信用の電子メール作成画面ｇ６の初期状態の一例を示す。電子メール作成画面ｇ６は、送信電子メール詳細表示欄ｇ６０、テンプレートアイコンｇ６１、画像添付アイコンｇ６２、画像削除アイコンｇ６３、送信アイコンｇ６４、添付ファイル表示欄ｇ６５および中止アイコンｇ０２などを含む。
【０１７５】
送信電子メール詳細表示欄ｇ６０は、新たな送信用の電子メールデータＤ０の本文部Ｄ００および付帯部Ｄ０１の情報が表示される部分である。
【０１７６】
図１９が示すように、返信用の電子メール作成画面ｇ６は、工程Ｓ７１０で設定された前記初期データが予め設定された送信電子メール詳細表示欄ｇ６０を含む。
【０１７７】
テンプレートアイコンｇ６１は、テンプレート選択・挿入処理を情報処理部８に実行させるための操作アイコンである。前記テンプレート選択・挿入処理は、操作部８０１に対する操作に従って、予め設定された複数のサンプル文章から本文部Ｄ００に挿入する文章を選択し、選択した前記サンプル文章を送信用のＥメールデータＤ０の本文部Ｄ００に挿入する処理である。前記サンプル文章が挿入された後の本文部Ｄ００の内容は、送信電子メール詳細表示欄ｇ６０に表示される。
【０１７８】
画像添付アイコンｇ６２は、添付画像データ追加処理を情報処理部８および画像読取部１１に実行させるための操作アイコンである。前記添付画像データ追加処理は、画像読取部１１が原稿９０の画像データを読み取り、さらに、情報処理部８が原稿９０の画像データを送信用のＥメールデータＤ０の添付ファイルＤ０２として追加する処理である。
【０１７９】
送信アイコンｇ６４は、送信用のＥメールデータＤ０をＥメールサーバー７を通じて送信する処理を情報処理部８に実行させるための操作アイコンである。
【０１８０】
添付ファイル表示欄ｇ６５は、画像添付アイコンｇ６２の操作に応じて追加された添付ファイルＤ０２のファイル名Ｄ０２０が表示される部分である。情報処理部８は、原稿９０の画像データを添付ファイルＤ０２として追加したときに、その添付ファイルＤ０２のファイル名Ｄ０２０と、それに対応する添付ファイル選択部ｇ６６と添付ファイル表示欄ｇ６５に表示させる。添付ファイル選択部ｇ６６は、１つまたは複数の添付ファイルＤ０２を選択するためのチェックボックスである。
【０１８１】
画像削除アイコンｇ６３は、添付ファイル選択部ｇ６６に対する操作によって選択された添付ファイルＤ０２である原稿９０の画像データを削除する処理を情報処理部８に実行させるための操作アイコンである。
【０１８２】
電子メール作成画面ｇ６の中止アイコンｇ０２は、前記電子メール作成・送信処理の中止のための操作アイコンである。
【０１８３】
＜工程Ｓ８０２＞
次に、情報処理部８は、電子メール作成画面ｇ６の表示中に操作部８０１にどのような操作がなされるかを監視する。
【０１８４】
＜工程Ｓ８０３＞
情報処理部８は、送信電子メール詳細表示欄ｇ６０に対するデータ編集操作がなされたことを検知すると、その操作に従って送信用のＥメールデータＤ０の内容を編集する。その後、情報処理部８は、処理を工程Ｓ８０１へ移行させる。
【０１８５】
＜工程Ｓ８０４＞
また、情報処理部８は、テンプレートアイコンｇ６１に対する操作を検知すると前記テンプレート選択・挿入処理を実行する。その後、情報処理部８は、処理を工程Ｓ８０１へ移行させる。
【０１８６】
＜工程Ｓ８０５＞
また、情報処理部８は、画像添付アイコンｇ６２に対する操作を検知すると、画像読取部１１に対して原稿スキャン処理（画像読取処理）を実行させる。この原稿スキャン処理において、画像読取部１１は、原稿９０の画像データを生成する。この原稿スキャン処理において、画像読取部１１は、前記Ｅメールサービスを通じて送信されるＥメールデータＤ０の添付ファイルＤ０２の元になる画像データを生成する。
【０１８７】
＜工程Ｓ８０６＞
さらに、情報処理部８は、工程Ｓ８０５で得られた原稿９０の画像データから予め設定されたデータ形式の添付ファイルＤ０２を生成し、その添付ファイルＤ０２を送信用のＥメールデータＤ０の添付ファイルＤ０２として追加する。その後、情報処理部８は、処理を工程Ｓ８０１へ移行させる。
【０１８８】
＜工程Ｓ８０７＞
また、情報処理部８は、電子メール作成画面ｇ６の添付ファイル選択部ｇ６６の操作によって添付ファイルＤ０２が選択された後に、画像削除アイコンｇ６３が操作されたことを検知すると、選択された添付ファイルＤ０２を削除する処理を実行する。
【０１８９】
工程Ｓ８０１〜Ｓ８０７の処理によって作成されるＥメールデータＤ０は、第２記憶部８３に格納される。
【０１９０】
＜工程Ｓ８０８＞
また、情報処理部８は、送信アイコンｇ６４に対する操作を検知すると、工程Ｓ８０１〜Ｓ８０７の処理によって作成されたＥメールデータＤ０が、送信用のデータとしての必要条件を満たしているか否かをチェックする。
【０１９１】
なお、作成されたＥメールデータＤ０が前記必要条件を満たしていない場合、情報処理部８は、エラーメッセージを表示部８０２に表示させた上で、工程Ｓ８０１からの処理を繰り返す。
【０１９２】
＜工程Ｓ８０９＞
作成されたＥメールデータＤ０が前記必要条件を満たしている場合、情報処理部８は、作成したＥメールデータＤ０をＥメールサーバー７を通じて送信する。これにより、当該電子メール作成・送信処理が終了する。
【０１９３】
なお、情報処理部８は、電子メール作成画面ｇ６の中止アイコンｇ０２に対する操作を検知すると、処理を工程Ｓ７０１に戻して前記受信メールジョブ選択・実行処理を再び実行する。
【０１９４】
以上に示されるように、情報処理装置の一例である前記画像処理装置１０は、それ自体の使用を可能にするための前記端末認証処理（Ｓ３０１）を実行する機能を有する。
【０１９５】
さらに、予め前記第１記憶部８２へ端末アカウント情報Ｄ１、メールアカウント情報Ｄ２およびサーバーマスター情報Ｄ３が登録されていれば、その後、工程Ｓ１０２において端末認証情報Ｄ１１が入力されるだけで、対応するＥメールサーバー７に対する前記サーバー認証処理の要求が自動的に実行される（Ｓ６０２）。そのため、前記画像処理装置１０を使用するごとに端末認証情報Ｄ１１とサーバー認証情報Ｄ２１とを個別に入力するという煩雑な作業は不要である。
【０１９６】
また、画像処理装置１０において、１人のユーザーが複数のサーバー認証情報Ｄ２１についての前記Ｅメールサービスを利用したいというニーズがある。この場合でも、工程Ｓ１０２において端末認証情報Ｄ１１が入力されるだけで、対応する複数のサーバー認証情報Ｄ２１についての前記サーバー認証処理の要求が自動的に実行される（Ｓ６０２）。
【０１９７】
従って、画像処理装置１０またはそれと同様の機能を有する情報処理装置が採用されれば、ＥメールデータＤ０の受信または送信を含む前記Ｅメールサービスを利用する場合に、認証処理用の情報の入力作業を簡易化できる。
【０１９８】
また、画像処理装置１０の画像形成部４は、前記Ｅメールサービスを通じて受信したＥメールデータＤ０に基づく画像を形成する機能を備える（Ｓ７０３〜Ｓ７０６）。さらに、画像処理装置１０の画像読取部１１は、原稿９０の画像を読み取ることにより前記Ｅメールサービスを通じて送信されるＥメールデータＤ０における添付ファイルＤ０２の元になる画像データを生成する機能を備える（Ｓ８０４，Ｓ８０５）。
【０１９９】
従って、画像処理装置１０によれば、画像処理と複数のサーバー認証情報Ｄ２１に対応する前記Ｅメールサービスとを連係させた処理を簡易に実行することができる。
【０２００】
また、画像処理装置１０は、受信したＥメールデータＤ０における本文部Ｄ００および添付ファイルＤ０２の一方または両方を、画像形成の対象として選択する機能を備える（Ｓ７０１，Ｓ７０２）。そのため、ＥメールデータＤ０に基づく画像形成処理の自由度が高い。
【０２０１】
また、画像処理装置１０は、Ｅメールサーバー７に到達している前記受信電子メールデータの情報を取得し、その情報を出力するとともに受信の対象とする前記受信電子メールデータを選択する機能を備える（Ｓ６０３，Ｓ５０２，Ｓ５０３）。そのため、ＥメールデータＤ０を記憶する第２記憶部８３の記憶容量が小さくて済む。
【０２０２】
［応用例］
工程Ｓ１０２，Ｓ２０２において、端末認証用入力情報Ｄｉが、操作部８０１に対する操作に従った文字または記号などの入力以外の方法で入力されることも考えられる。
【０２０３】
例えば、情報処理部８が、ユーザーの指紋情報または顔画像などの生態情報を、生態情報入力装置を通じて端末認証用入力情報Ｄｉとして入力することが考えられる。この場合、画像処理装置１０は、指紋読取センサーまたは顔画像を撮影するカメラなどの前記生態情報入力装置を備える。
【０２０４】
また、画像処理装置１０が、前記Ｅメールサービスに関する一部の機能ごとに独立した装置で構成されることも考えられる。例えば、第１記憶部８２における端末アカウント情報Ｄ１、メールアカウント情報Ｄ２およびサーバーマスター情報Ｄ３を記憶する部分が、画像読取部１１および画像形成部４を備える画像処理装置１０の本体部から独立した記憶装置であることが考えられる。
【０２０５】
また、情報処理部８における前記端末認証処理および前記サーバー認証処理の要求処理などの一部の機能を実現する部分が、画像読取部１１および画像形成部４を備える画像処理装置１０の本体部から独立した装置で構成されることも考えられる。
【０２０６】
また、操作表示部８０が、画像読取部１１および画像形成部４を備える画像処理装置１０の本体部との間で無線通信が可能なタブレットコンピューターまたは携帯情報端末（例えば、スマートフォン）などの端末装置であることも考えられる。
【０２０７】
なお、本発明に係る情報処理装置、画像処理装置、電子メールサービス利用方法および電子メールサービス利用プログラムは、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０２０８】
１        ：原稿搬送読取部
２        ：シート供給部
３        ：シート搬送部
４        ：画像形成部
５        ：光走査部
６        ：定着部
７        ：電子メールサーバー（Ｅメールサーバー）
８        ：情報処理部
９        ：記録シート
１０      ：画像処理装置
１１      ：画像読取部
２１      ：シート受部
２２      ：シート送出部
３０      ：搬送路
３１      ：レジストローラー
３２      ：搬送ローラー
３３      ：排出ローラー
４１      ：感光体
４２      ：帯電部
４３      ：現像部
４５      ：転写部
４７      ：クリーニング部
６１      ：定着ローラー
６２      ：加圧ローラー
７０      ：ネットワーク
８０      ：操作表示部
８１      ：ＭＰＵ
８２      ：第１記憶部
８３      ：第２記憶部
８４      ：信号インターフェイス
８５      ：通信部
９０      ：原稿
１０１    ：排出トレイ
１１１    ：原稿台
１１２    ：読取ユニット
１１３    ：光学系
１１４    ：イメージセンサー
１２１    ：原稿載置部
１２２    ：搬送ローラー
１２３    ：排紙トレイ
８０１    ：操作部
８０２    ：表示部
８０１１  ：開始ボタン
Ｄ０      ：電子メールデータ（Ｅメールデータ）
Ｄ００    ：本文部
Ｄ０１    ：付帯部
Ｄ０１１  ：件名
Ｄ０１２  ：送信元Ｅメールアドレス
Ｄ０１３  ：添付ファイル有無情報
Ｄ０１４  ：受信日
Ｄ０２    ：添付ファイル
Ｄ０２０  ：ファイル名
Ｄ１      ：端末アカウント情報
Ｄ１１    ：端末認証情報
Ｄ１１１  ：端末パスワード
Ｄ１２    ：登録メールアカウント情報
Ｄ２      ：メールアカウント情報
Ｄ２０    ：メールアカウント番号
Ｄ２１    ：サーバー認証情報
Ｄ２１０  ：Ｅメールアドレス
Ｄ２１１  ：Ｅメールパスワード
Ｄ３      ：サーバーマスター情報
Ｄ３０    ：サーバー番号
Ｄ３１    ：宛先情報
Ｄ３２    ：通信設定情報（Ｅメールサービス関連情報）
Ｄ３３    ：標章情報（Ｅメールサービス関連情報）
Ｄｉ      ：端末認証用入力情報
Ｄｉｅ    ：端末アカウント登録用入力情報
Ｐｒ１    ：端末認証用情報入力プログラム
Ｐｒ２    ：端末アカウント登録プログラム
Ｐｒ３    ：端末認証プログラム
Ｐｒ４    ：ジョブ選択・実行プログラム
Ｐｒ５    ：サーバー認証要求プログラム
Ｐｒ６    ：受信電子メール情報取得プログラム
Ｐｒ７    ：Ｅメールサービス利用プログラム
ｇ１      ：ログイン画面
ｇ２      ：端末アカウント登録画面
ｇ３      ：ジョブ選択画面
ｇ４      ：電子メールサービス基本画面
ｇ５      ：受信メール基本画面
ｇ６      ：電子メール作成画面
【図１】
0006299613.tif 000002
【図２】
0006299613.tif 000003
【図３】
0006299613.tif 000004
【図４】
0006299613.tif 000005
【図５】
0006299613.tif 000006
【図６】
0006299613.tif 000007
【図７】
0006299613.tif 000008
【図８】
0006299613.tif 000009
【図９】
0006299613.tif 000010
【図１０】
0006299613.tif 000011
【図１１】
0006299613.tif 000012
【図１２】
0006299613.tif 000013
【図１３】
0006299613.tif 000014
【図１４】
0006299613.tif 000015
【図１５】
0006299613.tif 000016
【図１６】
0006299613.tif 000017
【図１７】
0006299613.tif 000018
【図１８】
0006299613.tif 000019
【図１９】
0006299613.tif 000020
【図２０】
0006299613.tif 000021
【図２１】
0006299613.tif 000022
【図２２】
0006299613.tif 000023
【図２３】
0006299613.tif 000024